(57)【特許請求の範囲】
【請求項１】
排水桝の掃除口に接続されたパイプの上端部を嵌合する筒状部を下部に形成した筒状の掃除口体と、この掃除口体の上端に着脱自在に嵌着される蓋体とを備え、
前記掃除口体は、上端開口部の内周に蓋受け段部を形成するとともに前記筒状部の内周面または外周面に前記パイプの上端縁に対向する係止段部を形成しかつ、前記筒状部の内周面または外周面にパッキンを嵌着する環状凹溝を形成し、
前記筒状部の内周面または外周面に前記係止段部の下方の高さ方向に沿った一部に位置し、この係止段部の角部上面から下方に向けて突出して円周方向に間隔をおいて前記筒状部に嵌合されたパイプの外周面または内周面に圧接されこのパイプのがたつきを防止する複数のリブを突設したことを特徴とする掃除口装置。
【発明の詳細な説明】
【０００１】
【産業上の利用分野】
本発明は、宅地内の排水管系統に設置された掃除口装置に係り、特に、蓋体の上面を地表面に合わせて高さを調整可能とした掃除口装置に関する。
【０００２】
【従来の技術】
最近、土地の狭隘化に伴って、宅地内の地中に埋設する排水管の配管施工には塩化ビニル樹脂製の口径15cm〜20cmの小型の排水桝が汎く使用されるようになってきている。そして、この排水桝の掃除口に接続した塩化ビニル樹脂製のパイプの上端に嵌合する掃除口体はパイプを地表面に合わせて切断し、蓋体の表面を地表面に略同一面にするようにする方法が採られている。
【０００３】
【発明が解決しようとする課題】
この排水桝の掃除口に接続したパイプの上端に掃除口体を嵌合する掃除口装置では、掃除口体ががたつき易いという問題があった。
【０００４】
本発明は、このような問題点に鑑みなされたもので、掃除口体を地表面に合わせて上下位置を調節可能にするとともに、掃除口体とパイプとの嵌合部にがたつきが生じることがない掃除口装置を提供することを目的とする。
【０００５】
【課題を解決するための手段】
本発明の掃除口装置は、排水桝の掃除口に接続されたパイプの上端部を嵌合する筒状部を下部に形成した筒状の掃除口体と、この掃除口体の上端に着脱自在に嵌着される蓋体とを備え、前記掃除口体は、上端開口部の内周に蓋受け段部を形成するとともに前記筒状部の内周面または外周面に前記パイプの上端縁に対向する係止段部を形成しかつ、前記筒状部の内周面または外周面にパッキンを嵌着する環状凹溝を形成し、前記筒状部の内周面または外周面に前記係止段部の下方の高さ方向に沿った一部に位置し、この係止段部の角部上面から下方に向けて突出して円周方向に間隔をおいて前記筒状部に嵌合されたパイプの外周面または内周面に圧接されこのパイプのがたつきを防止する複数のリブを突設したものである。
【０００６】
【作用】
本発明の掃除口装置は、掃除口本体の筒状部の上部に円周方向に間隔をおいて複数の小さなリブを突設したことにより、パイプと掃除口体の筒状部とを嵌合する場合に、このリブの表面がパイプの外周面または内周面に圧接することにより、パイプががたつくことを防止でき、掃除口体の筒状部とパイプとの嵌合長さを調節することにより、掃除口体に嵌合した蓋体の表面を地表面に合わせることができる。
【０００７】
また、掃除口体の筒状部にパッキンを嵌着することにより掃除口体とパイプとの水密が保持される。
【０００８】
【実施例】
以下、本発明の掃除口装置の実施例の構成を図１および図２を参照して説明する。
【０００９】
図１は平坦な地表面に設置した状態を示す掃除口装置の縦断正面図、図２は傾斜した地表面に設置した状態を示す掃除口装置の縦断正面図で、図１および図２において、１は掃除口体で、この掃除口体１は塩化ビニル樹脂などの合成樹脂にてそれぞれ成型した筒状の掃除口本体２と、この掃除口本体２の下部に取り付けられる筒状体３とにて構成されている。
【００１０】
この掃除口本体２は上端開口部の内周に蓋受け段部４を形成する環状の突部５が形成されている。
【００１１】
また、この掃除口本体２の嵌合部６の下端面は所定の角度θ°、例えば、７．５°の角度に傾斜され、この嵌合部６の周面には環状のＯリング嵌合溝７が下端面の傾斜角度に合せて形成され、このＯリング嵌合溝７の下部にこのＯリング嵌合溝７と平行状に傾斜して嵌合凹溝８が形成されている。
【００１２】
そして、このＯリング嵌合溝７にはＯリング９が嵌合されている。
【００１３】
また、前記筒状体３の上端面は前記掃除口本体２の上端面の傾斜角θ°と同一角度θ°に傾斜されている。そして、この筒状体３の上部に形成された嵌着部10には、前記掃除口本体２の下部嵌合部６が回動可能に嵌合されるようになっている。この嵌着部10の内周部には前記掃除口体１の下部嵌合部６の下面を受ける受け段部11が形成され、さらに、この嵌着部10の内周面には前記掃除口体１の嵌合凹溝８を嵌合する環状の係合突部12が上面の傾斜角θ°に合せて傾斜状に形成されている。
【００１４】
また、前記筒状体３の下部に形成した筒状部13の上部内周面には、排水桝（図示せず）の掃除口に接続された掃除口管としてのパイプ14の上端縁に対向する環状の係止段部15が水平状に形成されている。そして、この係止段部15の下方には複数の細長のリブ16が前記筒状部13の内周面の円周方向に間隔をおいて一体に突設されている。このリブ16の内面は筒状部13の内周面と平行状態に形成され、このリブ16の下部は下方に向って拡径状に傾斜された傾斜面17が形成されている。
【００１５】
さらに、前記筒状部13の内周面の下部に形成された環状接続口18には、断面が略Ｕ字形状の環状パッキン19を嵌着する環状の凹溝20が形成され、この凹溝20の中央部にパッキン19の中間に嵌合される突部19aが形成されている。
【００１６】
また、23は蓋体で、この蓋体23の内面側にはこの蓋体23の外周部の内面が掃除口本体２の蓋受け段部４に支持された状態で前記掃除口本体２の蓋受け段部４の内側に嵌合される環状突縁24が形成され、この環状突縁24の外周には前記掃除口本体２の突部５の内周面に圧着される環状のゴムなどのシーリングリング25が嵌着されている。
【００１７】
次に、この実施例の作用について説明する。
【００１８】
排水桝の掃除口に嵌合されたパイプ14の外周に掃除口体１の筒状体３の下部に形成されている筒状部13を嵌合して、このパイプ14の上端縁を係止段部15に当接する。この状態で筒状体３の筒状部13の内周面に突設したリブ16の内周面がパイプ14に圧接され、パイプ14と筒状体３との嵌合にがたつきが生じることがない。そして、リブ16の下部は拡径状に傾斜した傾斜面17が形成されているので、パイプ14に筒状体３を嵌合する時に、傾斜面17が案内となって容易に嵌合できる。
【００１９】
また、掃除口本体２と筒状体３とを相対的に回動することにより、掃除口本体２は嵌合部６が筒状体３の嵌着部10に沿って回動され、１８０°回動させることにより、掃除口本体２に嵌着した蓋体23の上面は２θ°傾斜され、この掃除口本体２の回動量によって地表面の傾斜に合せて蓋体23は傾斜される。
【００２０】
なお、前記掃除口体１の筒状体３に形成した筒状部13のリブ16の下部をパイプ14と筒状部13との嵌合を容易にするため、下方に向って拡径する傾斜面17とすることなく、リブ16の全体を下方に向って拡開するテーパー状に形成することもできる。
【００２１】
また、掃除口体１の筒状体３の下端部に形成された筒状部13の下部に嵌着したＵ字形のパッキン19の中間突部22は筒状部13の内周面よりやや突出状態に形成されるため、筒状部13はパイプ14の上端縁と接続したときに、パッキン19の中間突部22はパイプ14に緊密に圧接することにより、パイプ14の水密が保持される。
【００２２】
次に他の実施例を図３について説明する。
【００２３】
図３は掃除口管としてのパイプを掃除口体の筒状部の外周面に嵌挿する掃除口装置の一部を切り欠いた正面図である。
【００２４】
図３に示す構造は、前記実施例における掃除口本体２と筒状体３とを一体に構成した構造で、前記の実施例１と同一な構造部分は同一の符号にて示し、具体的構造の説明を省略する。
【００２５】
掃除口体１の上端の開口部に着脱自在に嵌着された蓋体23には、ポリプロピレン（ＰＰ）などの合成樹脂にて成型したロック体30が回動自在に設けられ、このロック体30の下端は略直角方向に屈曲されて掃除口本体２の上端開口部の内面に突設した環状の蓋受け段部４の下面に係脱自在に係合する係止部32が形成され、この蓋受け段部４と係止突縁31の下面との係合で蓋体23は掃除口本体２に係止される。
【００２６】
また、前記掃除口本体２の下部に突設した筒状部13の上端部外周には、排水桝の掃除口に嵌合した掃除口管となるパイプ14の上端に係止される係止段部15a が形成されている。この係止段部15a の下方に位置して筒状部13の上部には複数のリブ16a が円周方向に間隔をおいて一体に形成され、このリブ16aの下部は下方に向って縮径状に傾斜した傾斜面17a が形成されている。
【００２７】
また、前記蓋体23の下面に一体に突設された環状突縁24の外周にはこの環状突縁24と掃除口本体２の上端開口部の内周面との間に圧接されるシーリングリング25が嵌着されている。
【００２８】
次に、この実施例の作用について説明する。
【００２９】
排水桝の掃除口に接続したパイプ14の上端側に掃除口体１の筒状部13を連接する時に、このパイプ14を筒状部13の外周面に嵌挿すると、筒状部13の上部に突設されたリブ16a とが緊密に圧接され、パイプ14と掃除口本体２とががたつくことがなく、また、筒状部13の下部に設けられた環状パッキン19の中間突部22とパイプ14の外周面とが圧接することにより、パイプ14の水密を保持することができる。
【００３０】
【発明の効果】
本発明によれば、宅地に掃除口装置を設置するときには、掃除口体に嵌着した蓋体を地表面に略面一に容易にすることができ、さらに、前記筒状部の上部内周面または外周面の円周方向に間隔をおいて突設された複数のリブにより排水桝の掃除口に接続したパイプのがたつきを防止できる。
【図面の簡単な説明】
【図１】本発明の一実施例を示す掃除口装置の縦断正面図である。
【図２】同上掃除口装置を傾斜した地表面に設置した状態を示す縦断正面図である。
【図３】本発明の他の実施例を示す掃除口装置の一部を切り欠いた正面図である。
【符号の説明】
１      掃除口体
４      蓋受け段部
13      筒状部
14      掃除口管としてのパイプ
15 係止段部
16，16a   リブ
19      パッキン
20      環状凹溝
23      蓋体
【図１】
0003601848.tif 000002
【図２】
0003601848.tif 000003
【図３】
0003601848.tif 000004